(57)【特許請求の範囲】
【請求項１】

所定間隔ごとに設置され、各チャネル空間を分離する多数の分離板と、複数の歯を有し前記各分離板の端部を前記歯と歯の間に挿入して保持する一対の櫛板であって、前記複数の歯が複数連続して並ぶ背の低い低歯および複数連続して並ぶ背の高い高歯を備えることにより、前記低歯と前記高歯との段差部が形成された櫛板とを備えたコリメータ・アセンブリと、
各チャネルごとの検出器を所定間隔で並設し一体化した検出器モジュールであって、前記コリメータ・アセンブリの一対の櫛板に形成された前記低歯と前記高歯との段差部にそれぞれ対応する段差部が形成された検出器モジュールと
を備え
前記コリメータ・アセンブリにおける前記櫛板に形成された前記低歯と前記高歯との段差部における前記チャネルが並ぶ方向に面した前記高歯の端面と前記検出器モジュールにおける前記段差部において形成された前記チャネルが並ぶ方向に面した面とが相互に当接され前記コリメータ・アセンブリと前記検出器モジュールとが固定されている
ことを特徴とするＣＴ用固体検出器。
【請求項２】
前記コリメータ・アセンブリにおける櫛板において、複数連続して並ぶ低歯と複数連続して並ぶ高歯とが、交互に複数繰り返して形成されていることを特徴とする請求項１に記載のＣＴ用固体検出器。
【請求項３】
前記検出器モジュールは、一組の前記段差部を有し、
複数の前記検出器モジュールが、前記コリメータ・アセンブリに固定されていることを特徴とする請求項２に記載のＣＴ用固体検出器。
【請求項４】
前記コリメータ・アセンブリは、所定の間隔で対向する一対のコリメータ板を備え、前記櫛板は前記コリメータ板の対応面にそれぞれ接着されていることを特徴とする請求項１〜３の何れか一項に記載のＣＴ用固体検出器。
【発明の詳細な説明】
【０００１】
【発明の属する技術分野】
本発明は、ＣＴ用固体検出器に関し、さらに詳しくは、コリメータ・アセンブリの各チャネル空間に対して各検出器を容易に位置合わせ出来るように構造を改良したＣＴ用固体検出器に関する。
【０００２】
【従来の技術】
図７は、従来のＣＴ用固体検出器の一例を底面側から見た斜視図である。また、図８は、その断面図である。
このＣＴ用固体検出器５００は、所定間隔ごとに設置された多数の分離板３で各チャネル空間を分離したコリメータ・アセンブリ５９に、数チャネル分のシンチレータ・バー１２を所定間隔で並設し一体化した検出器モジュール５０を、前記各チャネル空間に前記各シンチレータ・バー１２を位置合わせして、ネジ２０で取り付けて構成されている。
【０００３】
前記コリメータ・アセンブリ５９は、所定間隔で対向する一対のコリメータ板１ａ，１ｂと、それらコリメータ板１ａ，１ｂの対向面にそれぞれ接着され且つ一定高さの歯５２Ｌを持つ櫛板５２と、前記歯５２Ｌの間に嵌着された多数の分離板３とからなっている。
図９は、前記コリメータ・アセンブリ５９の分解斜視図である。
【０００４】
図１０は、前記検出器モジュール５０の検出器面側から見た斜視図である。
前記検出器モジュール５０は、回路基板１１と、モールドブロック５６とを一体化したものである。
【０００５】
図１１は、前記モールドブロック５６を透明に描いた前記検出器モジュール５０の検出器面側から見た斜視図である。
回路基板１１上に、数チャネル分のシンチレータ・バー１２が並設されている。これらシンチレータ・バー１２の間隔は、前記コリメータ・アセンブリ５９の分離板３で分離した各チャネル空間の間隔に一致している。
【０００６】
【発明が解決しようとする課題】
上記従来のＣＴ用固体検出器５００では、顕微鏡カメラを用いて前記検出器モジュール５０の端面と前記コリメータ・アセンブリ５９の分離板３の位置関係を観察しながら前記検出器モジュール５０の位置を調整し、所定の位置関係になった所でネジ２０で固定することにより、各シンチレータ・バー１２と各チャネル空間の位置を合わせていた。
しかし、顕微鏡カメラを用いての調整は非常に細かい作業のため、作業者に大きな負担になると共に非常に作業時間がかかる問題点があった。
そこで、本発明の目的は、コリメータ・アセンブリの各チャネル空間に対して各検出器を容易に位置合わせ出来るように構造を改良したＣＴ用固体検出器を提供することにある。
【０００７】
【課題を解決するための手段】
第１の観点では、本発明は、所定間隔ごとに設置された多数の分離板で各チャネル空間を分離したコリメータ・アセンブリに、各チャネルごとの検出器を所定間隔で並設し一体化した検出器モジュールを、前記各チャネル空間に前記各検出器を位置合わせして取り付けてなるＣＴ用固体検出器であって、前記コリメータ・アセンブリと前記検出器モジュールとに、チャネルが並ぶ方向に相互に当接することで前記位置合わせが可能となる基準面を設けたことを特徴とするＣＴ用固体検出器を提供する。
上記第１の観点によるＣＴ用固体検出器では、コリメータ・アセンブリと検出器モジュールとにそれぞれ基準面を設け、それら基準面を相互に当接するように、チャネルが並ぶ方向に検出器モジュールの位置を調整することで、各チャネル空間に各検出器を位置合わせ出来る。これにより、顕微鏡カメラを用いなくても高精度の位置合わせが可能となるため、作業者の負担を軽減できると共に作業時間を短縮することが出来る。
【０００８】
【発明の実施の形態】
以下、図を参照して本発明の実施の形態を説明する。なお、これにより本発明が限定されるものではない。
図１は、本発明の一実施形態に係るＣＴ用固体検出器を底面側から見た斜視図である。また、図２は、その断面図である。
このＣＴ用固体検出器１００は、所定間隔ごとに設置された多数の分離板３で各チャネル空間を分離したコリメータ・アセンブリ９に、数チャネル分のシンチレータ・バー１２を所定間隔で並設し一体化した検出器モジュール１０を、前記各チャネル空間に前記各シンチレータ・バー１２を位置合わせして、ネジ２０で取り付けて構成されている。
【０００９】
図３は、前記コリメータ・アセンブリ９を底面側から見た斜視図である。また、図４は、前記コリメータ・アセンブリ９の分解斜視図である。
前記コリメータ・アセンブリ９は、所定間隔で対向する一対のコリメータ板１ａ，１ｂと、それらコリメータ板１ａ，１ｂの対向面にそれぞれ接着され且つ背の低い低歯２Ｌおよび背の高い高歯２Ｈとを持つ櫛板２ａ，２ｂと、それら低歯２Ｌや高歯２Ｈの間に嵌着された多数の分離板３からなっている。
櫛板２ａ，２ｂでは、所定数だけ低歯２Ｌが連続して並び、それに続いて所定数だけ高歯２Ｈが連続して並び、これが繰り返されている。そして、所定だけ連続して並ぶ低歯２Ｌ，２Ｌおよびそれに続いて連続して並ぶ高歯２Ｈ，２Ｈの組が、１つの検出器モジュール１０に対応している。さらに、各組で低歯２Ｌに隣接する高歯２Ｈの低歯２Ｌ側の端面が、基準面２Ｐになっている。
【００１０】
図５は、前記検出器モジュール１０を底面側から見た斜視図である。
前記検出器モジュール１０は、回路基板１１と、モールドブロック１６とを一体化したものである。このモールドブロック１６は、チャネルが並ぶ方向に向いた基準面１０Ｐを持っている。
【００１１】
図６は、前記モールドブロック１６を透明に描いた前記検出器モジュール１０の検出器面側から見た斜視図である。
回路基板１１上に、数チャネル分のシンチレータ・バー１２が並設されている。これらシンチレータ・バー１２の間隔は、前記コリメータ・アセンブリ９の分離板３で分離した各チャネル空間の間隔に一致している。
【００１２】
以上のＣＴ用固体検出器１００では、図１および図２に示すように、コリメータ・アセンブリ９の底面に検出器モジュール１０を置き、検出器モジュール１０のモールドブロック１６に設けた基準面１０Ｐをコリメータ・アセンブリ９の高歯２Ｈの端面に設けた基準面２Ｐに当接させて検出器モジュール１０をネジ２０で固定すれば、各チャネル空間（分離板３と分離板３の間）に各シンチレータ・バー１２を自動的に位置合わせすることが出来る。すなわち、作業者の負担を軽減できると共に、作業時間を短縮できる。
【００１３】
【発明の効果】
本発明のＣＴ用固体検出器によれば、コリメータ・アセンブリと検出器モジュールの基準面を相互に当接するように検出器モジュールの位置を調整することで、各チャネル空間に各検出器を自動的に位置合わせ出来る。これにより、顕微鏡カメラを用いなくても高精度の位置合わせが可能となるため、作業者の負担を軽減できると共に作業時間を短縮することが出来る。
【図面の簡単な説明】
【図１】本発明の一実施形態に係るＣＴ用固体検出器を底面側から見た斜視図である。
【図２】本発明の一実施形態に係るＣＴ用固体検出器の断面図である。
【図３】本発明の一実施形態に係るコリメータ・アセンブリを底面側から見た斜視図である。
【図４】本発明の一実施形態に係るコリメータ・アセンブリの分解斜視図である。
【図５】本発明の一実施形態に係る検出器モジュールを底面側から見た斜視図である。
【図６】一部を透明に描いた図５相当図である。
【図７】従来のＣＴ用固体検出器の一例を底面側から見た斜視図である。
【図８】従来のＣＴ用固体検出器の一例の断面図である。
【図９】従来のコリメータ・アセンブリの一例の分解斜視図である。
【図１０】従来の検出器モジュールの一例を底面側から見た斜視図である。
【図１１】一部を透明に描いた図１０相当図である。
【符号の説明】
１ａ，１ｂ          コリメータ板
２ａ，２ｂ          櫛板
２Ｐ，１０Ｐ        基準面
３                  分離板
４ａ，４ｂ          ネジ穴
９                  コリメータ・アセンブリ
１０                検出器モジュール
１１                回路基板
１２                シンチレータ・バー
１６                モールドブロック
２０                ネジ
１００              ＣＴ用固体検出器
【図１】
0004336434.tif 000002
【図２】
0004336434.tif 000003
【図３】
0004336434.tif 000004
【図４】
0004336434.tif 000005
【図５】
0004336434.tif 000006
【図６】
0004336434.tif 000007
【図７】
0004336434.tif 000008
【図８】
0004336434.tif 000009
【図９】
0004336434.tif 000010
【図１０】
0004336434.tif 000011
【図１１】
0004336434.tif 000012